(57)【要約】【課題】  サンルームの屋根が庇に近接する場合でも，サンルームを建物に付設して屋根を可及的簡易且つ確実に形成し得るようにする。【解決手段】  下面を開放した垂木２０の基板２１上面に位置決め用一対の起立リブ２６を形成する一方，垂木カバー４０の基板４１下面に垂下リブ４３を形成し，垂木２０の両側面に屋根パネル６０を載置した状態で，垂木カバー４０の垂下リブ４３を上記垂木２０の起立リブ２６間の被嵌溝２８に嵌合した上，垂木２０の基板２１の下面からタッピングネジ５０を垂木カバー４０の垂下リブ４３間のネジ溝４４に螺入して，垂木カバー４０を垂木２０側に引寄せ固定し，屋根パネル６０を挟持固定する。屋根２上の固定作業が解消され，屋根２と庇の関係に拘らずサンルームＡの設置ができる。【選択図】  図４
2007239214.tif 000002
【特許請求の範囲】
【請求項１】
垂木掛と桁間に架設固定したアルミ押出形材製の垂木と，該垂木に載置固定して該垂木とともに屋根パネルを挟持固定する同じくアルミ押出形材製の垂木カバーを備え，上記垂木がその基板上面長手方向に該基板に平行な一対の起立リブと該起立リブによる被嵌溝を長手方向一体成型して具備する一方，垂木カバーがその基板下面長手方向に上記一対の起立リブの被嵌溝に嵌合する同じく一対の嵌合リブと該一対の嵌合リブによるネジ溝とを具備し，上記垂木における一対の起立リブによる被嵌溝に垂木カバーの一対の垂下リブを嵌合し垂木の基板から垂木カバーのネジ溝に螺入したタッピングネジによって該垂木上に載置した垂木カバーを垂木に引寄せ固定してなることを特徴とするサンルームの屋根構造。
【発明の詳細な説明】
【技術分野】
【０００１】
本発明はサンルームに関し，特にその屋根構造に関する。
【背景技術】
【０００２】
サンルーム等屋外構築物の屋根の構造は，垂木に対して垂木カバーを固定し，該垂木と垂木カバー間に屋根パネルを挟持固定したものとされ，その例として，例えば部材の共通化と作業の容易性を確保する目的で，垂木に対して該垂木を挿通するボルトを配置し，垂木の上面でボルトにナットを締着して該ボルトを垂木に起立する一方，該垂木の両端部に屋根パネルの端部を載置するとともに該屋根パネル上に垂木カバーを配置し，上記起立ボルトを該垂木カバーに貫通して該垂木カバーの上面で該ボルトにナットを締着することによって垂木カバーを垂木に圧着固定するようにしたものが知られている。
【０００３】
【特許文献１】特開平７−２１７０４５号公報
【発明の開示】
【発明が解決しようとする課題】
【０００４】
この場合多くの屋外構築物に対してその屋根を形成することができるが，サンルームは，一般に建物の開口部から出入りできるように，該開口部周辺の壁面に建物側の支柱や垂木カバーを対接固定することによって建物に付設するように設置して使用するものとされる。この場合一般にサンルームを設置する部位の開口部には，該開口部上位に庇が設置されていることが多く，特に高さを開口部より幾分高く設定したサンルームを設置する場合，その屋根の形成に際して庇が作業の障害となることが多く，例えば上記背景技術記載のものは，屋根パネルを載置した垂木に対して垂木カバーを固定するのに，少なくとも該垂木カバー上でのナット締着による固定作業を必要とするところ，該屋根が庇に近接する場合には，該庇下位部分におけるナット締着をなし得ず，従ってこのように高さが高く，屋根が庇に近接する場合には，サンルームを設置できないために，高さを抑制した形態のサンルームを代替的に設置せざるを得ないことになる。
【０００５】
本発明はかかる事情に鑑みてなされたもので，その解決課題とするところは，屋根形成に際して庇との間に固定作業のためのスペースを必要とせず，庇に近接した状態でも建物に付設して屋根を可及的簡易且つ確実に形成し得るようにしたサンルームの屋根構造を提供するにある。
【課題を解決するための手段】
【０００６】
上記課題に沿って本発明は，垂木に対する垂木カバーの固定を，該垂木から垂木カバーに対するネジによって行うことによって屋根下面側の作業によって屋根の形成をなし得るようにするとともに該垂木と垂木カバーの関係を，垂木に被嵌溝を，垂木カバーに該被嵌溝に嵌合する一対の嵌合リブと該嵌合リブによるネジ受溝をそれぞれ配置し，垂木カバーの位置決めを容易化するとともに該垂木からのネジをタッピングネジとし，垂木カバーのネジ溝に該ネジを当てこれを回転することによって該垂木カバーの位置を上昇することなく該ネジ溝に螺入してその固定をなし得るようにして，確実なネジ固定とこれによる良好な作業性を確保するようにしたものであって，即ち請求項１に記載の発明を，垂木掛と桁間に架設固定したアルミ押出形材製の垂木と，該垂木に載置固定して該垂木とともに屋根パネルを挟持固定する同じくアルミ押出形材製の垂木カバーを備え，上記垂木がその基板上面長手方向に該基板に平行な一対の起立リブと該起立リブによる被嵌溝を長手方向一体成型して具備する一方，垂木カバーがその基板下面長手方向に上記一対の起立リブの被嵌溝に嵌合する同じく一対の嵌合リブと該一対の嵌合リブによるネジ溝とを具備し，上記垂木における一対の起立リブによる被嵌溝に垂木カバーの一対の垂下リブを嵌合し垂木の基板から垂木カバーのネジ溝に螺入したタッピングネジによって該垂木上に載置した垂木カバーを垂木に引寄せ固定してなることを特徴とするサンルームの屋根構造としたものであり，これを発明の要旨として上記課題解決の手段としたものである。
【発明の効果】
【０００７】
本発明は以上のとおりに構成したから，垂木に対する垂木カバーの固定を，該垂木から垂木カバーに対するネジによって行うことによって屋根下面側の作業によって屋根の形成をなし得るようにするとともに該垂木と垂木カバーの関係を，垂木に被嵌溝を，垂木カバーに該被嵌溝に嵌合する一対の垂下リブと該垂下リブによるネジ溝をそれぞれ配置し，垂木カバーの位置決めを容易化するとともに該垂木からのネジをタッピングネジとし，垂木カバーのネジ溝に該ネジを当てこれを回転することによって該垂木カバーの位置を上昇することなく該ネジ溝に螺入してその固定をなし得るようにして，確実なネジ固定とこれによる良好な作業性を確保するようにし，屋根形成に際して庇との間に固定作業のためのスペースを必要とせず，庇に近接した状態でも建物に付設して屋根を簡易且つ確実に形成し得るようにしたサンルームの屋根構造を提供することができる。
【発明を実施するための最良の形態】
【０００８】
以下図面の例に従って本発明を更に具体的に説明すれば，Ａはサンルームであり，該サンルームＡは，四隅の支柱１と，該四隅の支柱１上に配置した片流れ屋根２と，両側面において上位に配置した内倒し窓３と，該内倒し窓３の下位に配置した折畳戸４と，正面において該正面を閉塞するように配置した嵌め殺し部５とを備えたものとした，例えばアルミ製のものとしてある。
【０００９】
上記片流れ屋根２は，垂木掛１０と桁１１間に架設固定したアルミ押出形材製の垂木２０と，該垂木２０に載置固定して該垂木２０とともに屋根パネル６０を挟持固定する同じくアルミ押出形材製の垂木カバー４０を備えたものとしてあり，このとき上記垂木２０がその基板２１上面長手方向に該基板２１に平行な一対の起立リブ２６による被嵌溝２８を長手方向一体成型して具備する一方，垂木カバー４０がその基板４１下面長手方向に上記一対の起立リブ２６の被嵌溝２８に嵌合する同じく一対の垂下リブ４３と該一対の垂下リブ４３によるネジ溝４４とを具備し，上記垂木２０における一対の起立リブ２６による被嵌溝２８に垂木カバー４０の一対の垂下リブ４３を嵌合し垂木２０の基板２１から垂木カバー４０のネジ溝４４に螺入したタッピングネジ５０によって該垂木２０上に載置した垂木カバー４０を垂木２０に引寄せ固定したものとしてある。
【００１０】
本例にあって垂木２０は，上記タッピングネジ５０による垂木カバー４０の引寄せ固定の作業を容易になし得るようにその下面を開放して操作スペースを確保したものとしてあり，本例にあって該垂木２０はその上端の基板２１と，該基板２１の幅方向中間から下方に垂下した一対の垂下片２２と，上記基板２１の上面幅方向両側位置に配置した気密材受溝を形成する上向き突起２５と，同じく該基板２１下面の幅方向中央位置に上記一対の起立リブ２６と，該一対の起立リブ２６によって幅方向両端を区画した被嵌溝２８とを備えるとともに，本例にあって上記基板２１の幅方向両側の上記垂下片２２の外側に下向きに設置した係合突起２３及び各垂下片２２の長手方向中間位置下方に外側に向けてＬ字状に突設した係合突起２３を，また該各垂下片２２の下端に肉厚のネジ受部２４とを備え，また上記一対の起立リブ２６の先端に被嵌溝２８の内側に向けて対向して突設した加圧突起２７を備えた，アルミ押出材によって左右対称の断面形状にして長尺のものとしてあり，このとき本例の上記下向き突起２５はこれをそれぞれ３条として各２条の気密材受溝を形成したものとしてある。
【００１１】
本例にあって上記垂木２０の下端にネジ受部２４を備えるようにしたのは，上記下面を開放してタッピングネジ５０の操作スペースとしたところ，下面開放のままでは外観を損うために，該ネジ受部２４を下面を閉塞するアタッチメント３０のネジ止め部位として，例えばその下端をフラット面として閉塞する閉塞アタッチメント，遮光用に天井に配置する日除の幅方向両端部に設置した開閉用スライダーを垂木長手方向にスライド案内するスライドガイド３１を側面に一体に形成する日除け設置用アタッチメント，端部や仕切のパネルの受溝を下面に一体に形成するパネル設置用アタッチメント等の各種アタッチメント３０の固定片３２を該固定片３２側から，図示省略のネジによってネジ止めし，該垂木に任意のアタッチメント３０を選択的に設置使用し得るものとして，該垂木２０を，単に妻側及び中間の単に構造材とし，また所定の機能を付与した機能構造材とするようにアタッチメント３０固定を前提とした共通の基本部材として使用し得るようにしたためである。
【００１２】
このとき上記垂下片２２を垂木２０の基板２１の幅方向中間から下方に垂下したのは，例えばＬＥＤユニットを内蔵した照明用のアタッチメントを用いて天井からのＬＥＤ照明をなし得るようにするために，該垂下片２２の外側を配線ケーブルの配置スペースとして使用し得るようにしたためである。
【００１３】
また該垂下片２２に上記係合突起２３を配置したのは，該配線ケーブルの配置スペースを，これを使用したとき，使用しないときの双方を含めて，該係合突起２３を用いて側面キャップ３３を嵌着することによって該垂木２０の側面をフラット面とするように閉塞し得るようにしたためである。
【００１４】
本例にあって垂木カバー４０は，上記垂木２０の基板２１と同幅乃至略同幅の基板４１と，該基板４１に設置した，垂木２０と同様に気密材受溝を形成する下向き突起４２と，該基板４１の下面幅方向中央位置に上記一対の垂下リブ４３と，該一対の垂下リブ４３によって区画したネジ溝４４とを備えた，同じくアルミ押出材によって同様に左右対称の断面形状にして垂木２０の長さに合せた長尺のものとしてあり，このとき本例の上記下向き突起４２は，これを垂木におけると同様に３条として同じく各２条の気密材受溝を形成したものとしてある。
【００１５】
垂木２０は，上記垂木掛１０と桁１１間に所定間隔で架設固定してあり，該垂木２０の架設固定は，例えば垂木掛１０及び桁１１に，例えばコ字状金具１２を固定し，該コ字状金具１２を一対の垂下片２２間に受入れて該垂下片２２の両側からネジを該コ字状金具１２に螺入してこれを行うようにしてあり，該垂木掛１０と桁１１間に架設固定した垂木２０には，上記アタッチメント３０を固定する一方，その基板２１の幅方向両端部の上記上向き突起２５上に気密材を介して屋根パネル６０の端部を載置して該垂木２０の垂木幅方向両側に屋根パネル６０を配置するとともに該屋根パネル６０端部に垂木カバー４０を載置して，上記タッピングネジ５０による該該垂木カバー４０の引寄せ固定によってこれを設置し，垂木２０と該垂木カバー４０とで屋根パネル６０を挟持固定し，サンルームＡの上記片流れ屋根２を形成するものとしてある。
【００１６】
即ち該垂木カバー４０の設置は，上記垂木掛１０と桁１１間に架設固定した垂木２０の被嵌溝２８に垂木カバー４０の一対の垂下リブ４３を嵌合し，垂木２０の開放した下面側から，例えば該垂木２０の基板２１長手方向所定間隔に透設した透孔からタッピングネジ５０を挿入して該タッピングネジ５０を垂木２０下面側から回転して，該基板２１を貫通したタッピングネジ５０を垂木カバー４０のネジ溝４４に螺入することによって，これを行うものとしてある。このとき垂木カバー４０の一対の垂下リブ４３は，上記垂木２０の被嵌溝２８，特にその内側に向けて対向して突設した加圧突起２７間に圧入するようにその嵌合を行うようにしてあり，これによって垂木カバー４０を垂木２０の幅方向定位置に保持して，その位置決めを行うとともに該垂木カバー４０の保持状態で垂木２０の開放した下面側からタッピングネジ５０を回転して垂木カバー４０の上記一対の垂下リブ４３間のネジ溝４４に螺入することによって該タッピングネジ５０が垂木カバー４０を，その位置を上昇することなく，垂木２０の基板２１側に引寄せ固定することができる。また本例にあってタッピングネジ５０を垂木カバー４０のネジ溝４４の奥行方向に，例えば垂木２０の起立リブ２６の先端位置乃至これに配置した上記加圧突起２７位置程度の深さまで深く螺入するものとしてあり，これによって該タッピングネジ５０が垂木カバー４０の一対の垂下リブ４３を拡開状とする結果，垂木カバー４０の垂木２０に対する引寄せ固定を強固に行って，例えば屋根パネル６０が風圧を受けてこれら垂木２０と垂木カバー４０間で揺動して騒音を発するようなこともなく，その挟持固定を確実に行うことができる。
【００１７】
従って本例にあっては，垂木カバー４０の固定を下面側の作業によって行って片流れ屋根２を形成することができ，該片流れ屋根２の形成に際して屋根上面側における固定作業を解消して，屋根が庇に近接する場合でも，サンルームＡの片流れ屋根２を建物に付設した状態で可及的簡易且つ確実に形成することができる。
【００１８】
図中４５は，垂木カバー４０の長手方向桁１１側の端部に配置したキャップを示す。
【００１９】
図示した例は以上のとおりとしたが，垂木を単一のアルミ押出材によって形成して，タッピングネジを挿通する透孔を所定間隔に透設したものとすることを含めて，垂木掛，桁，垂木，その起立リブ，被嵌溝，垂木カバー，その垂下リブ，ネジ溝，タッピングネジ等の各具体的形状，構造，材質，これらの関係，これらに対する付加等は，上記発明の要旨に反しない限り様々な形態のものとすることができる。
【図面の簡単な説明】
【００２０】
【図１】サンルームの斜視図である。
【図２】桁と垂木の固定関係を示す斜視図である。
【図３】垂木と垂木カバーの固定関係を示す斜視図である。
【図４】垂木と垂木カバーの固定状態の縦断面図である。
【図５】垂木の縦断面図である。
【図６】垂木カバーの縦断面図である。
【符号の説明】
【００２１】
Ａ  サンルーム
１  支柱
２  片流れ屋根
３  内倒し窓
４  折畳戸
５  嵌め殺し部
１０  垂木掛
１１  桁
１２  コ字状金具
２０  垂木
２１  上端基板
２２  垂下片
２３  係合突起
２４  ネジ受部
２５  上向き突起
２６  起立リブ
２７  加圧突起
２８  被嵌溝
３０  アタッチメント
３１  スライドガイド
３２  固定片
３３  側面キャップ
４０  垂木カバー
４１  カバー基板
４２  下向き突起
４３  垂下リブ
４４  ネジ溝
４５  端部キャップ
５０  タッピングネジ
６０  屋根パネル
【図１】
2007239214.tif 000003
【図２】
2007239214.tif 000004
【図３】
2007239214.tif 000005
【図４】
2007239214.tif 000006
【図５】
2007239214.tif 000007
【図６】
2007239214.tif 000008